(57)【要約】【課題】歌詞データを持たない音楽のような動的コンテンツも検索可能で、部分再生を行うために必要な情報量も少なく済む、動的コンテンツの部分再生と検索及び選択が可能な動的コンテンツ再生装置及び動的コンテンツ再生プログラムを提供すること。【解決手段】動的コンテンツ再生装置としての楽曲再生装置１０は、動的コンテンツを再生する再生部１４と、各動的コンテンツの任意の部分再生範囲を指定すると共に、管理部１２に保存された複数の動的コンテンツの中から制御対象とする動的コンテンツを選択するための表示部兼入力部１３と、上記動的コンテンツの選択が行われた後に、当該選択された動的コンテンツの指定されている上記部分再生範囲を上記再生部１４によって部分再生するように制御する制御部１１と、を具備する。【選択図】図１
2006323920.tif 000002
【特許請求の範囲】
【請求項１】
動的コンテンツを再生する再生手段と、
各動的コンテンツの任意の部分再生範囲を指定する再生範囲指定手段と、
複数の動的コンテンツの中から制御対象とする動的コンテンツを選択する選択手段と、
上記選択手段により上記動的コンテンツの選択が行われた後に、当該選択された動的コンテンツの上記再生範囲指定手段によって指定されている上記部分再生範囲を上記再生手段によって部分再生するように制御する制御手段と、
を具備することを特徴とする動的コンテンツ再生装置。
【請求項２】
上記選択手段は、グループ化された動的コンテンツを選択することが可能であることを特徴とする請求項１に記載の動的コンテンツ再生装置。
【請求項３】
上記選択手段は、動的コンテンツのプレイリストを選択することが可能であることを特徴とする請求項２に記載の動的コンテンツ再生装置。
【請求項４】
上記制御手段は、上記選択手段により上記グループ化された動的コンテンツが選択された場合、上記グループ化された動的コンテンツのうち、所定の動的コンテンツの上記部分再生範囲を上記再生手段によって部分再生するように制御することを特徴とする請求項２に記載の動的コンテンツ再生装置。
【請求項５】
上記動的コンテンツは音楽、動画、あるいは静止画と音楽を組み合わせたスライドショーであることを特徴とする請求項１に記載の動的コンテンツ再生装置。
【請求項６】
上記制御手段は、上記選択手段により選択された動的コンテンツに上記部分再生範囲が指定されていなかったときには、その動的コンテンツのうち先頭から所定範囲を再生するように制御することを特徴とする請求項１に記載の動的コンテンツ再生装置。
【請求項７】
上記制御手段は、上記選択手段により上記制御対象となる動的コンテンツが変更された場合に、上記再生手段によって上記部分再生を行うことを特徴とする請求項１に記載の動的コンテンツ再生装置。
【請求項８】
上記選択手段は、指定された動的コンテンツの再生順に従って順送り、あるいは逆送りをすることにより、任意の動的コンテンツを選択することを特徴とする請求項１に記載の動的コンテンツ再生装置。
【請求項９】
上記選択手段は、所定の条件に合致した動的コンテンツを検索し選択することを特徴とする請求項１に記載の動的コンテンツ再生装置。
【請求項１０】
上記再生範囲指定手段は、上記部分再生範囲の情報を含む上記動的コンテンツの管理のためのデータベースを含むことを特徴とする請求項１に記載の動的コンテンツ再生装置。
【請求項１１】
上記再生範囲指定手段は、ユーザの指示に基づき上記部分再生範囲を指定することを特徴とする請求項１に記載の動的コンテンツ再生装置。
【請求項１２】
コンピュータに動的コンテンツを再生させる動的コンテンツ再生プログラムにおいて、上記動的コンテンツ再生プログラムは、コンピュータに、
複数の動的コンテンツの中から制御対象とする動的コンテンツを選択させ、
上記選択の後、上記選択された動的コンテンツに設定されている部分再生範囲を部分再生させる、
ことを特徴とする動的コンテンツ再生プログラム。
【請求項１３】
上記動的コンテンツ再生プログラムは、さらにコンピュータに、上記選択に先立ち、上記動的コンテンツに対して任意の部分再生範囲を設定させることを特徴とする請求項１２に記載の動的コンテンツ再生プログラム。
【請求項１４】
上記動的コンテンツ再生プログラムは、上記選択の際、コンピュータに、グループ化された動的コンテンツを選択させることが可能であることを特徴とする請求項１２に記載の動的コンテンツ再生プログラム。
【請求項１５】
上記動的コンテンツ再生プログラムは、上記選択の後、コンピュータに、上記選択されたグループ化された動的コンテンツのうち、所定の動的コンテンツの部分再生範囲を部分再生させることを特徴とする請求項１４に記載の動的コンテンツ再生プログラム。
【発明の詳細な説明】
【技術分野】
【０００１】
本発明は、音楽、動画、あるいは静止画と音楽を組み合わせたスライドショー等の動的コンテンツを再生する動的コンテンツ再生装置及び動的コンテンツ再生プログラムに係り、特に、動的コンテンツの特徴的な一部またはお気に入りの一部を再生することで、動的コンテンツの検索と選択を可能にする動的コンテンツ再生装置及び動的コンテンツ再生プログラムに関する。
【背景技術】
【０００２】
従来より、音楽等の動的コンテンツを再生する動的コンテンツ再生装置が広く利用されている。そのような動的コンテンツ再生装置において、動的コンテンツの特徴的な一部またはお気に入りの一部を再生することで、動的コンテンツの検索と選択を可能にする技術が多数提案されている。
【０００３】
例えば、特許文献１には、音楽データに対応する歌詞データと、音楽データを検索するためのキーワードとを入力する入力部を有し、それら入力したキーワードと歌詞データとから音楽データを検索・表示して、指定された音楽データの歌詞データとキーワードが一致した前後を部分的に再生するようにした電子音楽データ検索装置が開示されている。
【０００４】
また、特許文献２には、音楽データとは別に、試聴用の試聴データを持つようにした音楽再生装置及びシステムが開示されている。
【０００５】
さらに、特許文献３には、部分再生時間リストを有し、曲再生前に全体再生か部分再生かを選択可能で、全体再生を選択した場合は曲の先頭から最後までの通常再生を行い、部分再生を選択した場合は部分再生時間リストで設定されている時間帯のみ再生を行うようにした情報端末装置が開示されている。
【特許文献１】特開２００１−１２５５８３号公報
【特許文献２】特開２００４−１７１６８４号公報
【特許文献３】特開２００４−３６１７１３号公報
【発明の開示】
【発明が解決しようとする課題】
【０００６】
しかしながら、上記特許文献１に開示の電子音楽データ検索装置では、歌詞データやキーワードの入力部が必要である。更には、歌詞（音声）の無い音楽は検索できないという問題点も有している。
【０００７】
また、上記特許文献２に開示の音楽再生装置及びシステムでは、音楽データとは別に試聴データを持つので、データ記憶用に比較的大きな記憶容量が必要となってしまう。更に、音楽データにＤＲＭ（デジタル著作権管理）が設定されている場合には、試聴用データを作成することができない。
【０００８】
また、上記特許文献３に開示の情報端末装置では、通常再生の代わりとしてユーザが指定した部分のみ再生することができるが、この部分再生を利用した曲の検索はできない。
【０００９】
本発明は、上記の点に鑑みてなされたもので、歌詞データを持たない音楽のような動的コンテンツも検索可能で、試聴やプレビュー等の部分再生を行うために必要な情報量も少なく済む、動的コンテンツの部分再生と検索及び選択が可能な動的コンテンツ再生装置及び動的コンテンツ再生プログラムを提供することを目的とする。
【課題を解決するための手段】
【００１０】
本発明の動的コンテンツ再生装置の一態様は、
動的コンテンツを再生する再生手段と、
各動的コンテンツの任意の部分再生範囲を指定する再生範囲指定手段と、
複数の動的コンテンツの中から制御対象とする動的コンテンツを選択する選択手段と、
上記選択手段により上記動的コンテンツの選択が行われた後に、当該選択された動的コンテンツの上記再生範囲指定手段によって指定されている上記部分再生範囲を上記再生手段によって部分再生するように制御する制御手段と、
を具備することを特徴とする。
【００１１】
また、本発明の動的コンテンツ再生プログラムの一態様は、
コンピュータに動的コンテンツを再生させる動的コンテンツ再生プログラムであって、上記動的コンテンツ再生プログラムは、コンピュータに、
複数の動的コンテンツの中から制御対象とする動的コンテンツを選択させ、
上記選択の後、上記選択された動的コンテンツに設定されている部分再生範囲を部分再生させる、
ことを特徴とする。
【発明の効果】
【００１２】
本発明によれば、歌詞データを持たない音楽のような動的コンテンツも検索可能で、試聴やプレビュー等の部分再生を行うために必要な情報量も少なく済む、動的コンテンツの部分再生と検索及び選択が可能な動的コンテンツ再生装置及び動的コンテンツ再生プログラムを提供することができる。
【発明を実施するための最良の形態】
【００１３】
以下、本発明を実施するための最良の形態を図面を参照して説明する。
【００１４】
［第１実施形態］
図１は、本発明の動的コンテンツ再生装置の第１実施形態としての楽曲再生装置１０の構成を示す図である。なお、本実施形態においては、動的コンテンツとして音楽を再生する場合を例に説明を行うものとする。
【００１５】
従って、本実施形態においては、楽曲再生装置１０はポータブル音楽プレイヤである。この楽曲再生装置１０は、制御手段として機能する制御部１１、管理部１２、上記制御部１１と共に再生範囲指定手段及び選択手段として機能する表示部兼入力部１３、再生手段として機能する再生部１４、ＰＣ接続端子１５、及びリモコン接続端子１６を有している。ここで、上記制御部１１は、例えばマイクロコンピュータで構成され、上記管理部１２は、例えば半導体メモリやハードディスク等の記録装置で構成される。また、上記表示部兼入力部１３は、例えばタッチパッド付きＬＣＤで構成される。
【００１６】
上記制御部１１は、図示しない内部メモリ或いは上記管理部１２を構成する記録装置に記憶された動的コンテンツ再生プログラムに従った動作を行う。即ち、制御部１１は、上記ＰＣ接続端子１５を介して図示しないパーソナルコンピュータ（ＰＣ）と接続して、そのＰＣから楽曲ファイルと楽曲情報とを受信（ダウンロード）して、それらを上記管理部１２に保存する。そして、その管理部１２に保存された“楽曲情報”の一部を表示部兼入力部１３に表示し、該表示部兼入力部１３からのユーザの選択に従って、上記管理部１２に保存された楽曲ファイルを再生部１４に送付して再生を行う。ここで、再生部１４は、デコーダ１４Ａ、スピーカ１４Ｂ、及びイヤフォン接続端子１４Ｃを含む。即ち、デコーダ１４Ａには、該楽曲再生装置１０に内蔵のスピーカ１４Ｂとイヤフォン接続端子１４Ｃとが接続されており、イヤフォン接続端子１４Ｃにイヤフォン２０が接続されていない場合はスピーカ１４Ｂから、イヤフォン２０が接続されている場合はイヤフォン２０から音楽が再生出力される。つまり、上記イヤフォン２０は、再生部１４の一部を構成する。また、リモコン接続端子１６には、外付けのリモートコントローラ（リモコン）３０が接続可能であり、該楽曲再生装置１０は上記リモコン３０に設けられた各種操作ボタン３１からの入力に従って楽曲再生の再生／停止・楽曲選択及びボリュームの調整が可能になっている。さらに、上記リモコン３０にも表示部３２が設けられており、上記制御部１１から送信された再生中の楽曲情報等を表示することが可能となっている。つまり、リモコン３０も、上記制御部１１と共に再生範囲指定手段及び選択手段として機能する。
【００１７】
なお、本実施形態においては、上記楽曲ファイルとしては、ＭＰ３やＷＭＡ等の形式の音声ファイルを使用する。
【００１８】
また、上記楽曲情報には、図２に示すように、楽曲識別Ｎｏ、各楽曲ファイルのファイルパス、アーティスト名、タイトル名、アルバム名、アルバム内の総曲数と曲順、ジャンル、曲時間長、リリース年、再生回数や最終再生日時といった楽曲の検索や再生履歴に関わる情報が保存されている。
【００１９】
また、上記楽曲情報には、試聴を行うための部位情報が保存されている。この試聴部情報は、再生開始位置（秒）と再生終了位置（秒）の２つの位置情報でなり、１つの楽曲中に複数の試聴部を指定する場合は“；”で区切ることで指定を行う。
【００２０】
なお、再生開始位置と終了位置は、再生時間情報の“秒”ではなく、ファイル上の位置情報“ｂｙｔｅ”でも良い（ファイルの先頭からの位置でも、ヘッダ等を含まない楽曲データ先頭部分からのオフセットでも良い）。また、終了位置ではなく、再生する長さでも良い。全ての楽曲で試聴する時間を一定とする場合は、終了位置は無くても良い。
【００２１】
以下、表示部兼入力部１３の表示状態を示す図３乃至図１１を参照して、楽曲を再生する手順を説明する。
【００２２】
図３は、この楽曲再生装置１０の電源投入時に表示部兼入力部１３に表示されるＨＯＭＥ画面を示す図である。このＨＯＭＥ画面では、再生する“曲の選択”、この楽曲再生装置１０（ポータブル音楽プレイヤ）の各種設定を行う“設定”、及び電源をオフする“終了”が選択できるようになっている。
【００２３】
ユーザが表示部兼入力部１３に表示されている“設定”付近をタッチすると、図４に示すような設定項目選択画面を表示する。この設定項目選択画面では、現在の日時を設定する“日付と時刻”、音量を調整する“ボリューム”、再生する曲の曲順等を設定する“シャッフルとリピート”、音質を調整する“イコライザ”、試聴の設定を行う“試聴”、及び該設定項目選択画面を終了する“終了”が選択できるようになっている。
【００２４】
以下、本発明に関わる試聴のための項目のみ、図を用いて説明を行う。
【００２５】
上記選択項目の内、“試聴”付近をユーザがタッチすると、図５に示すような試聴設定画面を表示する。
【００２６】
ここで、“曲移動時の試聴再生”は、楽曲再生中に、表示部兼入力部１３に表示される“次”ボタンや“前”ボタンまたはリモコン３０上の操作ボタン３１の内の同様のボタンをタッチすることで、再生中の音楽の再生を中止して他の楽曲の再生を開始する場合に、すぐに曲の先頭から再生するか（“しない”）、試聴部を再生してから曲の先頭を再生開始するか（“する”）を選択する。これは“する”または“しない”付近をユーザがタッチすることで選択できる。
【００２７】
“試聴時間”は、試聴を行う場合の再生時間を選択する。選択されている再生時間が数値で表示され、その数値前の“↑”付近をタッチすると時間を増やすことが、数値後の“↓”付近をタッチすると時間を減らすことができる。
【００２８】
“ＯＫ”付近をタッチすると、この試聴設定画面で選択した状態に更新されて、図４の設定項目選択画面に戻る。また、“Ｃａｎｃｅ１”付近をタッチすると、この試聴設定画面で選択した状態に更新しないで、図４の設定項目選択画面に戻る。
【００２９】
一方、図３に示すＨＯＭＥ画面でユーザが“曲の選択”をタッチすると、図６に示すような楽曲選択メイン画面になる。即ち、この楽曲選択メイン画面では、“お気に入り”、“プレイリスト”、“アーティスト”、“アルバム”、“ジャンル”、“試聴”及び“全て”から楽曲の選択ができる。
【００３０】
以下、ユーザが“アーティスト”付近をタッチすることでそれを選択した場合の、以降のメニュー画面を説明する。
【００３１】
即ち、図６の楽曲選択メイン画面で“アーティスト”を選択すると、図７に示すようなアーティスト選択画面になる。このアーティスト選択では、管理部１２の楽曲情報に登録されているアーティスト名一覧を表示する。
【００３２】
そして、このアーティスト選択画面で、特定のアーティストを選択すると、図８に示すような選択画面になる。この選択画面では、図７で選択したアーティストの中からアルバムを選択するか、図７で選択したアーティストの全楽曲を表示するかを選択する。
【００３３】
図８の選択画面で、“アルバム”を選択すると、図９に示すようなアルバム選択画面になる。このアルバム選択画面では、管理部１２の楽曲情報に登録されている選択したアーティストのアルバム名一覧を表示する。
【００３４】
図９のアルバム選択画面で、特定のアルバムを選択すると、図１０に示すような楽曲選択画面になる。この楽曲選択画面では、管理部１２の楽曲情報に登録されている選択したアルバムの楽曲タイトル名一覧を、曲時間長と試聴部有無を示すマーク（例えば、八分音符）と共に表示する。
【００３５】
図１０の楽曲選択画面で、特定のタイトルを選択して、“再生”をタッチすると、図１１に示すような再生画面を表示して楽曲の再生を開始する。また、“試聴”をタッチすると、楽曲情報にある試聴部の範囲を再生する。なお、試聴部に複数の範囲が指定されている場合は、指定された範囲を順番に再生する。また、試聴部が無い場合に“試聴”をタッチした場合は、曲の先頭部分から図５の試聴設定画面で設定した試聴時間だけ再生する。
【００３６】
各画面で“戻る”をタッチすると、１つ前の画面に戻ることができる。
【００３７】
他の順番で項目を選んでいった場合も、最終的には、図１０の楽曲選択画面で曲の再生を開始する。表示される楽曲一覧は、選択した項目に合致するものを表示する。
【００３８】
図１１の再生画面では、上部に再生中の曲の楽曲タイトル名、アーティスト名、及び再生時間／曲時間長を表示する。その下には、図１０の楽曲選択画面で表示した楽曲一覧と同じものを表示する。そして、再生画面の最下部には、図３のＨＯＭＥ画面に戻るための“ＨＯＭＥ”、図６の楽曲選択メイン画面に戻るための“曲選択”、再生を停止する“停止”（停止中は再生を開始するための“再生”になる）、再生を中断して前の曲の再生を開始する“前曲”、再生を中断して次の曲の再生を開始する“次曲”、選択した楽曲の試聴を行う“試聴”、再生中部分を試聴部として登録する“試聴登録”の各ボタンを表示する。また、このような再生画面の内、最下部の表示を除いたものが、リモコン３０の表示部３２にも表示され、最下部のボタン表示に対応する操作ボタン３１の操作に応じて、同様の動作が行われるようになっている。
【００３９】
なお、中段の楽曲一覧は、楽曲の再生開始時に再生する楽曲を選択状態にするが、各楽曲の段付近をタッチすると、そのタッチした部分の楽曲を選択状態にする。楽曲再生中または停止中に任意の楽曲を選択することで、選択した楽曲の試聴を行うことができる。
【００４０】
次に、本実施形態における楽曲再生装置１０の動作を詳細に説明する。
【００４１】
図１２（Ａ）は、本楽曲再生装置１０の不図示電源のオン操作に応じて、制御部１１が実行する動的コンテンツ再生プログラムのフローチャートを示している。
【００４２】
即ち、電源がオンされると、制御部１１は、まず、表示部兼入力部１３に、図３のＨＯＭＥ画面を表示する（ステップＳ１１）。
【００４３】
ここで、ユーザが“設定”をタッチしたか否かを検出し（ステップＳ１２）、“設定”をタッチしたことが検出されたならば、詳細は後述するような設定処理を実行する（ステップＳ１３）。
【００４４】
その後、あるいは、上記ステップＳ１２で“設定”をタッチしたことが検出されない場合には、ユーザが“曲の選択”をタッチしたか否かを検出し（ステップＳ１４）、“曲の選択”をタッチしたことが検出されたならば、詳細は後述するような曲選択処理を実行する（ステップＳ１５）。
【００４５】
その後、あるいは、上記ステップＳ１４で“曲の選択”をタッチしたことが検出されない場合には、ユーザが“終了”をタッチしたか否かを検出する（ステップＳ１６）。ここで、“終了”をタッチしたことが検出されない場合には、上記ステップＳ１２に戻る。
【００４６】
而して、上記ステップＳ１６において、“終了”をタッチしたことを検出したならば、曲を聞くことで更新される再生回数や最終再生日時等の情報を管理部１２の楽曲情報に保存して（ステップＳ１７）、電源をオフする。
【００４７】
図１２（Ｂ）は、上記ステップＳ１３における設定処理のフローチャートを示している。即ち、図３のＨＯＭＥ画面において“設定”がタッチされると、図４の設定項目選択画面を表示部兼入力部１３に表示する（ステップＳ２１）。
【００４８】
その後、その設定項目選択画面における“日付と時刻”をユーザがタッチしたか否かを検出し（ステップＳ２２）、“日付と時刻”をタッチしたことが検出されたならば、日付と時刻の設定処理を実行する（ステップＳ２３）。この日付と時刻の設定処理は、現在の日時を設定するものであるが、本発明の特徴部分ではないので、その詳細説明は省略する。
【００４９】
その後、あるいは、上記ステップＳ２２で“日付と時刻”をタッチしたことが検出されない場合には、ユーザが “ボリューム”をタッチしたか否かを検出し（ステップＳ２４）、“ボリューム”をタッチしたことが検出されたならば、ボリュームの設定処理を実行する（ステップＳ２５）。このボリュームの設定処理は、音量を設定するものであるが、本発明の特徴部分ではないので、その詳細説明は省略する。
【００５０】
その後、あるいは、上記ステップＳ２４で“ボリューム”をタッチしたことが検出されない場合には、ユーザが“シャッフルとリピート”をタッチしたか否かを検出し（ステップＳ２６）、“シャッフルとリピート”をタッチしたことが検出されたならば、シャッフルとリピートの設定処理を実行する（ステップＳ２７）。このシャッフルとリピートの設定処理は、再生する楽曲ファイルの再生順序や繰り返し再生等を設定するものであるが、本発明の特徴部分ではないので、その詳細説明は省略する。
【００５１】
その後、あるいは、上記ステップＳ２６で“シャッフルとリピート”をタッチしたことが検出されない場合には、ユーザが“イコライザ”をタッチしたか否かを検出し（ステップＳ２８）、“イコライザ”をタッチしたことが検出されたならば、イコライザ処理を実行する（ステップＳ２９）。このイコライザ処理は、音質を調整設定するものであるが、本発明の特徴部分ではないので、その詳細説明は省略する。
【００５２】
その後、あるいは、上記ステップＳ２８で“イコライザ”をタッチしたことが検出されない場合には、ユーザが“試聴”をタッチしたか否かを検出し（ステップＳ３０）、“試聴”をタッチしたことが検出されたならば、詳細は後述するような試聴設定処理を実行する。
【００５３】
その後、あるいは、上記ステップＳ３０で“試聴”をタッチしたことが検出されない場合には、ユーザが“戻る”をタッチしたか否かを検出する（ステップＳ３２）。ここで、“戻る”をタッチしたことが検出されない場合には、上記ステップＳ２２に戻る。
【００５４】
而して、上記ステップＳ３２において、“戻る”をタッチしたことを検出したならば、図３のＨＯＭＥ画面を表示部兼入力部１３に表示して（ステップＳ３３）、上位のルーチンへ戻る。
【００５５】
図１３は、上記ステップＳ３１で実行される試聴設定処理のフローチャートを示している。
【００５６】
即ち、図４の設定項目選択画面において“試聴”がタッチされると、図５の試聴設定画面を表示部兼入力部１３に表示する（ステップＳ４１）。なおこの場合、曲移動の試聴再生や試聴時間の現在の設定内容が、上記管理部１２を構成する記録装置から読み出して、表示されるようになっている。
【００５７】
その後、その試聴設定画面における“する”をユーザがタッチしたか否かを検出する（ステップＳ４２）。ここで、“する”をタッチしたことが検出された場合には、試聴機能をオンにする（ステップＳ４３）。この試聴機能とは、図１１の再生画面における“前曲”または“次曲”のユーザタッチに応じて別の曲を再生開始する前に試聴部の再生を実行する機能である。
【００５８】
その後、あるいは、上記ステップＳ４２で“する”をタッチしたことが検出されない場合には、ユーザが“しない”をタッチしたか否かを検出し（ステップＳ４４）、“しない”をタッチしたことが検出されたならば、上記試聴機能をオフにする（ステップＳ４５）。
【００５９】
その後、あるいは、上記ステップＳ４４で“しない”をタッチしたことが検出されない場合には、ユーザが試聴時間アップ操作つまり“↑”をタッチしたか否かを検出し（ステップＳ４６）、“↑”をタッチしたことが検出されたならば、試聴時間を＋１秒する（ステップＳ４７）。
【００６０】
その後、あるいは、上記ステップＳ４６で“↑”をタッチしたことが検出されない場合には、ユーザが試聴時間ダウン操作つまり“↓”をタッチしたか否かを検出し（ステップＳ４８）、“↓”をタッチしたことが検出されたならば、試聴時間を−１秒する（ステップＳ４９）。
【００６１】
なお、上記ステップＳ４３，Ｓ４５，Ｓ４７，Ｓ４９での設定の変更内容は、該制御部１１の図示しない内部メモリに保持されている。
【００６２】
その後、あるいは、上記ステップＳ４８で“↓”をタッチしたことが検出されない場合には、ユーザが“ＯＫ”をタッチしたか否かを検出する（ステップＳ５０）。ここで、“ＯＫ”がタッチされたことが検出された場合には、上記不図示内部メモリに保持している設定の変更内容を、上記管理部１２を構成する記録装置に保存する（ステップＳ５１）。そして、図４の設定項目選択画面を表示部兼入力部１３に表示した後（ステップＳ５２）、上位のルーチンに戻る。
【００６３】
一方、上記ステップＳ５０において“ＯＫ”をタッチしたことが検出されない場合には、更に、ユーザが“Ｃａｎｃｅ１”をタッチしたか否かを検出する（ステップＳ５３）。ここで、“Ｃａｎｃｅ１”をタッチしたことが検出されないならば、上記ステップＳ４２に戻る。これに対して、“Ｃａｎｃｅ１”をタッチしたことが検出されたならば、上記不図示内部メモリに保持している設定の変更内容を元に戻して（ステップＳ５４）、上記ステップＳ５２に進み、図４の設定項目選択画面を表示してから、上位のルーチンに戻る。
【００６４】
図１４は、上記ステップＳ１５で実行される曲選択処理のフローチャートを示している。
【００６５】
即ち、図３のＨＯＭＥ画面において“曲の選択”がタッチされると、図６の楽曲選択メイン画面を表示部兼入力部１３に表示する（ステップＳ６１）。また、絞り込み条件をクリアする（ステップＳ６２）。
【００６６】
その後、楽曲選択メイン画面における“お気に入り”をユーザがタッチしたか否かを検出し（ステップＳ６３）、“お気に入り”をタッチしたことが検出されたならば、お気に入り処理を実行する（ステップＳ６４）。このお気に入り処理は、お気に入りに登録されている楽曲を表示すると共に、そのお気に入りの登録内容の変更修正を行うものである。つまり、このお気に入りも、一種のプレイリストである。プレイリストは、図１５に示すように、プレイリスト名と、そのプレイリストに登録されている楽曲識別Ｎｏの一覧で構成され、管理部１２を構成する記録装置に保存される。なお、このお気に入り処理は、本発明の特徴部分ではないので、その詳細説明は省略する。
【００６７】
その後、あるいは、上記ステップＳ６３で“お気に入り”をタッチしたことが検出されない場合には、ユーザが“プレイリスト”をタッチしたか否かを検出し（ステップＳ６５）、“プレイリスト”をタッチしたことが検出されたならば、プレイリスト処理を実行する（ステップＳ６６）。このプレイリスト処理は、ユーザが作成したプレイリストの一覧を表示して、更に選択したプレイリストに登録されている楽曲を表示したり、プレイリストの登録内容の変更修正や新たなプレイリストの作成等を行うものである。このプレイリストは、管理部１２を構成する記録装置に保存される。なお、このプレイリスト処理は、本発明の特徴部分ではないので、その詳細説明は省略する。
【００６８】
その後、あるいは、上記ステップＳ６５で“プレイリスト”をタッチしたことが検出されない場合には、ユーザが“アーティスト”をタッチしたか否かを検出し（ステップＳ６７）、“アーティスト”をタッチしたことが検出されたならば、アーティスト処理を実行する（ステップＳ６８）。このアーティスト処理は、管理部１２の楽曲情報に登録されている全てのアーティストを表示して楽曲選択を行う処理であり、その詳細は後述する。
【００６９】
その後、あるいは、上記ステップＳ６７で“アーティスト”をタッチしたことが検出されない場合には、ユーザが“アルバム”をタッチしたか否かを検出し（ステップＳ６９）、“アルバム”をタッチしたことが検出されたならば、アルバム処理を実行する（ステップＳ７０）。このアルバム処理は、管理部１２の楽曲情報に登録されている全てのアルバムを表示して楽曲選択を行う処理であり、その詳細は後述する。
【００７０】
その後、あるいは、上記ステップＳ６９で“アルバム”をタッチしたことが検出されない場合には、ユーザが“ジャンル”をタッチしたか否かを検出し（ステップＳ７１）、“ジャンル”をタッチしたことが検出されたならば、ジャンル処理を実行する（ステップＳ７２）。このジャンル処理は、管理部１２の楽曲情報に登録されている全てのジャンルを表示してジャンル選択を行う処理であるが、本発明の特徴部分ではないので、その詳細説明は省略する。
【００７１】
その後、あるいは、上記ステップＳ７１で“ジャンル”をタッチしたことが検出されない場合には、ユーザが“試聴”をタッチしたか否かを検出し（ステップＳ７３）、“試聴”をタッチしたことが検出されたならば、試聴処理を実行する（ステップＳ７４）。この試聴処理は、管理部１２の楽曲情報に登録されている曲の中で試聴部が登録されている楽曲を表示する処理であるが、本発明の特徴部分ではないので、その詳細説明は省略する。
【００７２】
その後、あるいは、上記ステップＳ７３で“試聴”をタッチしたことが検出されない場合には、ユーザが“全て”をタッチしたか否かを検出し（ステップＳ７５）、“全て”をタッチしたことが検出されたならば、曲処理を実行する（ステップＳ７６）。この曲処理は、管理部１２の楽曲情報に登録されている全ての楽曲を表示して、楽曲の選択や再生、試聴を行う処理であり、その詳細は後述する。
【００７３】
その後、あるいは、上記ステップＳ７５で“全て”をタッチしたことが検出されない場合には、ユーザが“戻る”をタッチしたか否かを検出する（ステップＳ７７）。ここで、“戻る”をタッチしたことが検出されない場合には、上記ステップＳ６２に戻る。これに対して、“戻る”をタッチしたことを検出した場合には、元の画面（この場合はＨＯＭＥ画面）を表示部兼入力部１３に表示した後（ステップＳ７８）、上位のルーチンに戻る。
【００７４】
図１６（Ａ）は、上記ステップＳ６８で実行されるアーティスト処理のフローチャートを示している。
【００７５】
即ち、図６の楽曲選択メイン画面において“アーティスト”がタッチされると、図７のアーティスト選択画面において、選択されたジャンルの楽曲を有するアーティストの一覧を表示する（ステップＳ８１）。即ち、上記ステップＳ７２のジャンル処理においてジャンルが選択されている場合には、その選択されたジャンルで絞り込まれたアーティストが表示され、そこでの選択がなされていない場合には、上記ステップＳ６２においてジャンルが全てと初期設定されているので、全てのアーティストを表示することになる。
【００７６】
このようなアーティスト選択画面を表示した後、ユーザがアーティストの選択操作を行ったかどうか、つまり何れかのアーティスト名をタッチしたか否かを検出する（ステップＳ８２）。ここで、選択操作がなされていなければ、つまり何れのアーティスト名もタッチしたことが検出されない場合には、後述するステップＳ９１に進む。これに対して、アーティストの選択操作が行われた、つまり何れかのアーティスト名をタッチしたことが検出されたならば、絞り込み条件のアーティストを、その選択されたアーティストに設定し（ステップＳ８３）、図８の選択画面を表示する（ステップＳ８４）。
【００７７】
その後、この選択画面においてユーザが“アルバム”をタッチしたか否かを検出し（ステップＳ８５）、“アルバム”をタッチしたことが検出されたならば、アルバム処理を実行する（ステップＳ８６）。このアルバム処理は、選択したアーティストのアルバムの選択を行う処理であり、その詳細は後述する。
【００７８】
その後、あるいは、上記ステップＳ８５で“アルバム”をタッチしたことが検出されない場合には、ユーザが“全て”をタッチしたか否かを検出し（ステップＳ８７）、“全て”をタッチしたことが検出されたならば、曲処理を実行する（ステップＳ８８）。この曲処理は、選択したアーティストの全ての楽曲から選択を行う処理であり、その詳細は後述する。
【００７９】
その後、あるいは、上記ステップＳ８７で“全て”をタッチしたことが検出されない場合には、ユーザが図８の選択画面の“戻る”をタッチしたか否かを検出する（ステップＳ８９）。ここで、“戻る”をタッチしたことが検出されない場合には、上記ステップＳ８５に戻る。これに対して、“戻る”をタッチしたことが検出された場合には、図７のアーティスト選択画面を表示部兼入力部１３に表示する（ステップＳ９０）。
【００８０】
その後、あるいは、上記ステップＳ８２で何れのアーティスト名もタッチしたことが検出されない場合には、ユーザが図７の選択画面の“戻る”をタッチしたか否かを検出する（ステップＳ９１）。ここで、“戻る”をタッチしたことが検出されない場合には、上記ステップＳ８１に戻る。これに対して、“戻る”をタッチしたことが検出された場合には、絞り込み条件のアーティストをクリア、即ち、選択アーティストは全てとして（ステップＳ９２）、図６の楽曲選択メイン画面を表示部兼入力部１３に表示した後（ステップＳ９３）、上位のルーチンに戻る。
【００８１】
図１６（Ｂ）は、上記ステップＳ７０もしくは上記ステップＳ８６で実行されるアルバム処理のフローチャートを示している。
【００８２】
即ち、図６の楽曲選択メイン画面もしくは図８の選択画面において“アルバム”がタッチされると、図９のアルバム選択画面において、選択されたジャンルとアーティストの楽曲を有するアルバムの一覧を表示する（ステップＳ１０１）。即ち、上記ステップＳ７２のジャンル処理においてジャンルが選択されている場合には、その選択されたジャンルで絞り込まれて選択されたアーティストの、また、そこでの選択がなされていない場合には全てのジャンルにおいて選択されたアーティストの、全てのアルバムを表示することになる。
【００８３】
このようなアルバム選択画面を表示した後、ユーザがアルバムの選択操作を行ったかどうか、つまり何れかのアルバム名をタッチしたか否かを検出する（ステップＳ１０２）。ここで、選択操作がなされていなければ、つまり何れのアルバム名もタッチしたことが検出されない場合には、後述するステップＳ１０５に進む。これに対して、アルバムの選択操作が行われた、つまり何れかのアルバム名をタッチしたことが検出されたならば、絞り込み条件のアルバムを、その選択されたアルバムに設定し（ステップＳ１０３）、曲処理を実行することで、選択したアルバムの全ての楽曲から選択を行う（ステップＳ１０４）。
【００８４】
その後、あるいは、上記ステップＳ１０２でアルバムの選択操作のための何れかのアルバム名のタッチがなされていない場合には、ユーザが“戻る”をタッチしたか否かを検出する（ステップＳ１０５）。ここで、“戻る”をタッチしたことが検出されない場合には、上記ステップＳ１０１に戻る。これに対して、“戻る”をタッチしたことが検出された場合には、絞り込み条件のアルバムをクリア、即ち、選択アルバムは全てとして（ステップＳ１０６）、元の画面を表示部兼入力部１３に表示した後（ステップＳ１０７）、上位のルーチンに戻る。ここで、元の画面とは、このアルバム処理が上記ステップＳ７０として実行される場合には図６の楽曲選択メイン画面であり、上記ステップＳ８６として実行される場合には図８の選択画面である。
【００８５】
図１７（Ａ）は、上記ステップＳ８８もしくは上記ステップＳ１０４で実行される曲処理のフローチャートを示している。また、特に図示はしていないが、この曲処理は、上記ステップＳ６４のお気に入り処理、ステップＳ６６のプレイリスト処理、ステップＳ７２のジャンル処理、ステップS7４の試聴処理においても実行されるものである。
【００８６】
即ち、図８のアルバム選択画面における“全て”のタッチや、図９のアルバム選択画面における何れかのアルバム名のタッチ等がなされると、図１０の楽曲選択画面を表示部兼入力部１３に表示する。但しこの場合、初期状態として、その楽曲選択画面における“再生”と“試聴”ボタンを無効にする、つまりタッチしても反応しない状態に設定し（ステップＳ１１１）、選択されたジャンルとアーティストとアルバムで絞り込まれた曲、またはお気に入りやプレイリストに登録されている曲あるいは試聴曲一覧を表示する（ステップＳ１１２）。例えば、上記ステップＳ１０４で実行される場合には、アーティスト→アルバムの順で選択されたので、選択されたアーティスト・アルバムの曲一覧を表示する。また、上記ステップＳ６４のお気に入り処理やステップＳ６６のプレイリスト処理において実行される場合は、登録されている曲を表示する。上記ステップＳ７６で実行される場合は、全ての曲を表示する。上記ステップＳ８８で実行される場合は、選択されたアーティストの全ての曲を表示する。上記ステップＳ７２のジャンル処理において実行される場合は、アーティストやアルバムの選択状態を含めて選択されたジャンルで絞り込んだ曲を表示する。
【００８７】
そして、この楽曲選択画面において、ユーザが任意の曲をタッチしたか否かを検出する（ステップＳ１１３）。ここで、何れの曲もタッチしたことが検出されなければ、後述するステップＳ１１６に進む。これに対して、何れかの曲をタッチしたことが検出されたならば、そのタッチされた曲を、再生・試聴を行う曲として選択された曲として（ステップＳ１１４）、図１０の楽曲選択画面の“再生”と“試聴”ボタンを有効にする（ステップＳ１１５）。このとき、選択された曲の試聴を自動的に行うようにしても良い。
【００８８】
その後、あるいは、上記ステップＳ１１３で何れの曲もタッチしたことが検出されない場合には、ユーザが“再生”をタッチしたか否かを検出し（ステップＳ１１６）、“再生”をタッチしたことが検出された場合には、詳細は後述する再生処理を実行して、曲の再生を開始する（ステップＳ１１７）。
【００８９】
これに対して、“再生”をタッチしたことが検出されない場合には、ユーザが “試聴”をタッチしたか否かを検出し（ステップＳ１１８）、“試聴”をタッチしたことが検出された場合には、詳細は後述する試聴再生処理を実行して、曲の試聴部位を再生する（ステップＳ１１９）。
【００９０】
その後、あるいは、上記ステップＳ１１８で“試聴”をタッチしたことが検出されない場合には、ユーザが“戻る”をタッチしたか否かを検出し（ステップＳ１２０）、“戻る”をタッチしたことが検出されない場合には、上記ステップＳ１１２に戻る。
【００９１】
これに対して、“戻る”をタッチしたことが検出された場合には、元の画面を表示して（ステップＳ１２１）、上位のルーチンに戻る。ここで、元の画面とは、該曲処理が上記ステップＳ８８で実行される場合には図８の選択画面であり、上記ステップＳ１０４で実行される場合には図９のアルバム選択画面である。また、上記ステップＳ６４のお気に入り処理、ステップＳ６６のプレイリスト処理、ステップＳ７２のジャンル処理において実行された場合には、図６の楽曲選択メイン画面となる。
【００９２】
図１７（Ｂ）及び図１８は、上記ステップＳ１１７で実行される再生処理の一連のフローチャートを示している。
【００９３】
即ち、図１０の楽曲選択画面において“再生”がタッチされると、まず、図１１の再生画面を表示部兼入力部１３に表示する（ステップＳ１３１）。この場合、ジャンル・アーティスト・アルバム、またはお気に入りやプレイリストで絞り込まれた曲一覧を中段の曲選択欄に表示する（ステップ１３２）。
【００９４】
そして、曲が再生中か否かを確認し（ステップＳ１３３）、再生中であれば後述するステップＳ１３６に進む。これに対して、再生していなければ、上記ステップＳ１１４で選択された曲の再生を開始する（ステップＳ１３４）。その後、曲選択欄に表示している再生中の曲に識別用のマーキングを行う（ステップＳ１３５）。本実施形態では、識別用のマーキングとして、下線を引く。
【００９５】
その後、あるいは、上記ステップＳ１３３で再生中であることが確認された場合には、上段の再生曲情報欄に、再生中の曲のタイトル、アーティスト名及び曲時間長と再生中の時間情報を表示する（ステップＳ１３６）。
【００９６】
次に、中段の曲一覧に表示されている曲の何れかをユーザがタッチしたか否かを検出する（ステップＳ１３７）。ここで、タッチしたことが検出された場合には、選択中の曲をそのタッチされた曲に設定し、下線表示を再生中の曲からそのタッチされた曲に変更表示する（ステップＳ１３８）。
【００９７】
その後、あるいは、上記ステップＳ１３７で何れの曲もタッチしたことが検出されない場合には、ユーザが再生画面下段の“ＨＯＭＥ”をタッチしたか否かを検出し（ステップＳ１３９）、その“ＨＯＭＥ”をタッチしたことが検出された場合には、上記ステップＳ１１に戻って、図３のＨＯＭＥ画面を表示することになる。
【００９８】
これに対して、上記ステップＳ１３９で“ＨＯＭＥ”をタッチしたことが検出されない場合には、ユーザが再生画面下段の“曲選択”をタッチしたか否かを検出し（ステップＳ１４０）、“曲選択”をタッチしたことが検出された場合には、図１４を参照して説明したような曲選択処理を実行する（ステップＳ１４１）。但しこの場合、図１４のステップＳ７７で“戻る”のタッチに応じて表示する元画面は、この再生画面となる。
【００９９】
その後、あるいは、上記ステップＳ１４０で“曲選択”をタッチしたことが検出されない場合には、ユーザが再生画面下段の“試聴”をタッチしたか否かを検出し（ステップＳ１４２）、“試聴”をタッチしたことが検出された場合には、詳細は後述するような試聴再生処理を実行する（ステップＳ１４３）。
【０１００】
その後、あるいは、上記ステップＳ１４２で“試聴”をタッチしたことが検出されない場合には、ユーザが再生画面下段の“試聴登録”をタッチしたか否かを検出し（ステップＳ１４４）、その“試聴登録”をタッチしたことが検出された場合には、詳細は後述するような試聴登録処理を実行して、再生中の付近を試聴部位として楽曲情報に登録する（ステップＳ１４５）。
【０１０１】
その後、あるいは、上記ステップＳ１４４で“試聴登録”をタッチしたことが検出されない場合には、ユーザが再生画面下段の“前曲”をタッチしたか否かを検出する（ステップＳ１４６）。ここで、“前曲”をタッチしたことが検出された場合には、再生する曲を前曲に設定し（ステップＳ１４７）、現在再生中の曲を停止する（ステップＳ１４８）。また、上記ステップＳ１４６で“前曲”をタッチしたことが検出されない場合には、ユーザが再生画面下段の“次曲”をタッチしたか否かを検出し（ステップＳ１４９）、“次曲”をタッチしたことが検出された場合には、再生する曲を次曲に設定して（ステップＳ１５０）、現在再生中の曲を停止する（ステップＳ１４８）。
【０１０２】
こうして、再生を停止したならば、次に、曲変更時の試聴機能がオンになっているか否かを確認し（ステップＳ１５１）、試聴機能がオンになっていれば、詳細は後述するような試聴再生処理を実行した後（ステップＳ１５２）、上記ステップＳ１３３に戻る。そして、上記ステップＳ１３３からステップＳ１３４に進んで、上記設定された前曲又は次曲の再生を開始することになる。
【０１０３】
一方、上記ステップＳ１４９において“次曲”をタッチしたことが検出されない場合には、再生中の曲の再生が終了したか否かを確認し（ステップＳ１５３）、再生が終了していれば、絞り込まれた全ての曲の再生が終了したか否かと、リピートがオフに設定されているか否かを確認する（ステップＳ１５４）。ここで、全曲再生終了且つリピートがオフ設定ならば、上記ステップＳ１３６に戻り、上段の再生曲情報欄に、再生中の曲（この場合は再生が終了した曲）のタイトル、アーティスト名及び曲時間長と再生中の時間情報（この場合は終了した時の時間情報）を表示して、次のユーザ操作を待つ。
【０１０４】
また、上記ステップＳ１５４において、全曲再生終了且つリピートがオフ設定でない場合、つまり、曲の再生を続ける場合には、再生する曲を次の曲に設定して（ステップＳ１５５）、上記ステップＳ１３３を介して上記ステップＳ１３４に戻り、その曲の再生を開始する。
【０１０５】
これに対して、上記ステップＳ１５３において再生が終了していないと判別された場合には（即ち、曲再生中のみ有効）、ユーザが再生画面下段の“停止”をタッチしたか否かを検出し（ステップＳ１５６）、“停止”をタッチしたことが検出された場合には、その曲の再生を停止する（ステップＳ１５７）。
【０１０６】
その後、あるいは、上記ステップＳ１５６で“停止”をタッチしたことが検出されない場合には（これは、再生停止中のみ有効）、ユーザが下段の“再生”をタッチしたか否かを検出する（ステップＳ１５８）。そして、その“再生”をタッチしたことが検出されない場合には、上記ステップＳ１３６に戻って、上段の再生曲情報欄に、再生中の曲（この場合は再生を停止した曲）のタイトル、アーティスト名及び曲時間長と再生中の時間情報（この場合は再生を停止した時の時間情報）を表示して、次のユーザ操作を待つ。これに対して、“再生”をタッチしたことが検出された場合には、上記ステップＳ１３３を介して上記ステップＳ１３４に戻り、曲の再生を開始する。この場合は、ステップＳ１３５またはＳ１３８で下線を表示している選択曲を再生開始する。
【０１０７】
図１９は、上記ステップＳ１４５で実行される試聴登録処理の動作フローチャートを示している。
【０１０８】
即ち、図１１の再生画面において“試聴登録”がタッチされると、まず、管理部１２を構成する記録装置に保存されている楽曲情報の中から、再生中の曲の情報を検索する（ステップＳ１６１）。そして、その検索された曲の情報に既に試聴部が登録されているかを確認する（ステップＳ１６２）。
【０１０９】
ここで、試聴部が登録されていなければ、現在再生中の付近を試聴部位として新規に登録を行う（ステップＳ１６３）。また、既に試聴部が登録されていれば、現在再生中の付近を試聴部位として追加登録を行う（ステップＳ１６４）。こうして新規又は追加登録を行ったならば、管理部１２の楽曲情報を更新保存して（ステップＳ１６５）、上位のルーチンに戻る。
【０１１０】
なお、登録する部位は、タッチされた付近で、図５の試聴設定画面において上記ステップＳ４６乃至ステップＳ４９で設定した試聴時間の時間長とする。ここで、付近とは、上記時間長を半々でタッチ前後に割り振っても良いし、１０％を前で９０％を後ろにしても良いし、タッチした固定時間（例えば１秒）前から登録しても良い。
【０１１１】
あるいは、楽曲再生中に、音量やリズムが変化した部分を検出しておいて、タッチされた直前の変化した部分から、タッチされた後の変化点までを登録しても良い。この場合には、この変化点間をそのまま登録しても良いし、この変化点間の時間長が上記設定した試聴時間よりも長い場合はタッチ前の変化点から試聴時間分を登録しても良い。
【０１１２】
また、上記ステップＳ１６４で追加登録を行う場合は、既存データの最後尾に追加しても良いし、早い時間順に並ぶように挿入しても良い。勿論、再生部分が一部でも重なる場合は１つにまとめて登録しても良いし、登録を行わないようにしても良い。
【０１１３】
図２０は、上記ステップＳ１１９、ステップＳ１４３またはステップＳ１５２で実行される試聴再生処理の動作フローチャートを示している。
【０１１４】
即ち、図１０の楽曲選択画面あるいは図１１の再生画面において“試聴”がタッチされると、まず、楽曲の再生中か否かを確認する（ステップＳ１７１）。ここで、再生中でない、つまり再生停止中であると判別した場合には、管理部１２の楽曲情報に設定されている試聴部位の再生を行う（ステップＳ１７２）。そして、上位のルーチンに戻る。
【０１１５】
これに対して、上記ステップＳ１７１で再生中であると判別した場合には、まずその再生中の曲の再生を停止してから（ステップＳ１７３）、管理部１２の楽曲情報に設定されている試聴部位の再生を行う（ステップＳ１７４）。そしてこの試聴部位の再生終了後、上記再生中だった曲の先頭に戻り（ステップＳ１７５）、再生を開始する（ステップＳ１７６）。そして、上位のルーチンに戻る。
【０１１６】
なお、試聴部位が複数設定されている場合には、上記ステップＳ１７２及びＳ１７４では、設定されている全ての部位を順番に再生する。
【０１１７】
また、上記ステップＳ１７５で先頭に戻るのは、次の理由による。即ち、図１１の再生画面において、“次曲”（または“前曲”）タッチで曲の変更を行った場合で、その曲のイントロ再生中にユーザがどんな曲がかかったのか思い出せない時に、曲の再生中に試聴を行うことを想定している。このような場合には、曲の先頭に戻らないと試聴部位再生後に中途半端な部位から再生を再開することになるので、ステップＳ１７５で先頭に戻すようにしている。しかしながら、このステップＳ１７５の処理を無くしても別に構わない。
【０１１８】
また、“次曲”（または“前曲”）タッチでの曲変更時に試聴部位を再生することで、ユーザは次曲が聞きたい曲か否かをすぐに判別でき、聞きたければそのまま再生を続行し、聞きたくなければ再度すぐに“次曲”または“前曲”タッチで曲の変更をすることができる。例えば“前曲”の場合は既に再生した曲なので試聴を行わなくても曲が分かる場合がある。よって“前曲”の場合は試聴を行わないようにしても良いし、“前曲”でもユーザが全て聞いた或いは半分以上聞いた曲の場合は、ユーザの好みの曲と判別し、試聴を実行せずに直接通常再生を行っても良い。（“前曲”タッチで戻った曲がユーザが半分以下しか聞かなかった曲の場合は、ユーザの好みの曲では無いと判別し、再生対象としないでユーザが半分以上聞いた曲まで戻るようにしても良い。）
以上のように、タイトル名から楽曲を思い出すことができなくても、楽曲の特徴的またはお気に入りの部位を、再生開始前或いは再生中に試聴を行うことができるので、楽曲の検索・選択を容易にすることができる。
【０１１９】
また、曲変更時に試聴部位を最初に聞くことができるので、聞きたい曲か否かをすぐに判別することができる。
【０１２０】
更に、例えば、図１０の楽曲選択画面において“試聴”をタッチした時に、選択した曲の試聴終了後に引き続き残りの曲の試聴部を順次再生していけば、１曲毎に“試聴”をタッチすることなく、試聴しながら曲の選択することができる。また、曲選択のためではなく、試聴部を連続再生することで簡易メドレーを楽しむことができる。
【０１２１】
また、１つの曲に試聴部位を複数設定することができるので、お気に入りの部位を複数設定して、好きな部分だけを聞くという楽しみ方もできる。
【０１２２】
以上説明したように、本発明の第１実施形態に係る動的コンテンツ再生装置では、楽曲ファイルとは別のファイルを用いることなく、楽曲情報の一部として試聴部位情報を設定し、試聴部位（楽曲ファイルの特徴的な一部またはお気に入りの一部）を再生することで、楽曲の識別・検索・選択を行うようにしている。
【０１２３】
従って、試聴は、楽曲情報の一部として試聴部位データを有することで可能なので、試聴データを楽曲ファイルとは別に持つ場合と比較すると大幅に少ないデータ量で試聴を可能にすることができる。
【０１２４】
また、楽曲ファイルの特徴的な一部またはお気に入りの一部を再生することで、楽曲の識別が素早くできるので、楽曲の検索と選択を高速且つ容易に行うことができる。
【０１２５】
更には、楽曲ファイルにＤＲＭが設定されていても、試聴することができる。
【０１２６】
［第２実施形態］
本実施形態では、リモコン３０と管理部１２に保存された楽曲情報における試聴部とを用いての楽曲の検索・再生について説明する。
【０１２７】
本実施形態においては、図２１乃至図２３に示すように、各アーティストや各アルバム及びお気に入りを含む各プレイリストには、選択時に使用する代表楽曲を設定する。この場合、代表楽曲は１曲でも良いし、２曲以上の複数設定しても構わない。未設定時は構成する楽曲の最初の１曲を代表楽曲として代用する。
【０１２８】
即ち、図２１は、管理部１２を構成する記録装置に保存されるアーティスト情報の例を示しており、このアーティスト情報には、代表楽曲識別Ｎｏのみ設定する。アーティストが有するアルバムや楽曲情報は、楽曲情報から得ることができるので、本実施形態のように含まなくても良いし、楽曲情報から検索する手間を省くために含むようにしても良い。
【０１２９】
図２２は、管理部１２を構成する記録装置に保存されるアルバム情報の例を示しており、このアルバム情報は、アルバム名、アーティスト名、ジャンル名、代表楽曲識別Ｎｏ及び構成楽曲Ｎｏを含む。代表楽曲識別Ｎｏ以外は、上記アーティスト情報と同様に、楽曲情報から得ることができるので省くことはできる。この例では、Ａｌｂｕｍ＿２００は、代表楽曲別Ｎｏが設定されていないので、制御部１１は、構成楽曲Ｎｏの最初の１曲である“０００００２１５”を代表楽曲識別Ｎｏとして代用する。
【０１３０】
図２３は、管理部１２を構成する記録装置に保存されるプレイリスト情報の例を示しており、このプレイリスト情報は、プレイリスト名、代表楽曲識別Ｎｏ及び構成楽曲Ｎｏを含む。プレイリストでは、ユーザが自由に構成する楽曲及びその再生順番を設定することができるので、構成楽曲Ｎｏを省くことはできない。またこの例では、Ｐｌｉｓｔ＿４００では、代表楽曲識別Ｎｏが２つ設定されている。
【０１３１】
以上のような代表楽曲識別Ｎｏを用いて楽曲情報から曲を検索することで、曲のタイトルや試聴部を含む情報を得ることができる。同様にして、構成楽曲Ｎｏを用いて情報を得ることができる。
【０１３２】
図２４は、リモコン３０が備える各種操作ボタン３１の一つである検索ボタン３１Ａをユーザが押した時に、制御部１１がリモコン３０の表示部３２に表示させる検索トップ画面を示している。この検索トップ画面では、アーティスト・アルバム・プレイリストから選択するものであるが、リモコン３０の表示部３２は、同図に実線で示すように、１列しか表示できない。同図に破線で囲って示すような画面外の表示情報は、各種操作ボタン３１の内の次ボタン３１Ｂと前ボタン３１Ｃの操作に応じて制御部１１が表示をスクロールさせることで表示して、再生／停止ボタン３１Ｄの操作で選択するようになっている。
【０１３３】
図２５乃至図２７は、アーティスト、アルバム、曲の順で選択する場合の表示例を示している。
【０１３４】
即ち、図２４の検索トップ画面において、上記操作によりユーザが“アーティスト”を選択すると、制御部１１は、リモコン３０の表示部３２の表示を図２５に示すようなアーティスト選択画面に切り替えてアーティスト名を１つ表示すると共に、その表示したアーティストの代表楽曲の試聴部を再生部１４によって再生する。ここで、ユーザが次ボタン３１Ｂと前ボタン３１Ｃで表示のスクロール指示を行うと、それに応じて表示するアーティスト名を変更し、その都度、同様に表示したアーティストの代表楽曲の試聴部を再生する。また、このアーティスト選択画面において、ユーザが再生／停止ボタン３１Ｄを押すことで、表示部３２に表示している、つまり、最後に試聴部を再生したアーティストを選択できる。この選択操作がなされると、制御部１１は、表示部３２の表示を図２６に示すようなアルバム選択画面に切り替える。なお、上記アーティスト選択画面において、ユーザが再生／停止ボタン３１Ｄを長押し（ダブルクリックでも良い）した場合には、制御部１１は、選択したアーティストの全ての曲を再生部１４によって再生する。
【０１３５】
上記のように図２５のアーティスト選択画面でアーティスト名の選択が行われると、制御部１１は、図２６のアルバム選択画面でアルバム名／アーティスト名を１つ表示すると共に、表示したアルバムの代表楽曲の試聴部を再生部１４によって再生する。この画面においても、ユーザが次ボタン３１Ｂと前ボタン３１Ｃで表示のスクロールを指示すると、それに応じて表示するアルバム名を変更し、その都度、同様に表示したアーティストの代表楽曲の試聴部を再生部１４で再生する。そして、ユーザが再生／停止ボタン３１Ｄを押すと、表示部３２に表示している、つまり最後に試聴部を再生したアルバムを選択できる。
【０１３６】
このようにしてアルバムが選択されると、制御部１１は、表示部３２の表示を図２７に示すような曲選択画面に切り替える。なお、上記アルバム選択画面において、ユーザが再生／停止ボタン３１Ｄを長押し（ダブルクリックでも良い）すると、制御部１１は、選択したアルバムの全ての曲を再生部１４により再生する。
【０１３７】
即ち、図２６のアルバム選択画面でアルバム名の選択が行われると、制御部１１は、図２７の曲選択画面曲名／アルバム名／アーティスト名を１つ表示すると共に、表示した曲の試聴部を再生部１４によって再生する。この曲選択画面で、ユーザが次ボタン３１Ｂと前ボタン３１Ｃで表示のスクロールを指示すると、それに応じて表示する曲名を変更し、その都度、同様に表示した曲の試聴部を再生部１４で再生する。そして、ユーザが再生／停止ボタン３１Ｄを押すと、表示部３２に表示している、つまり最後に試聴部を再生した曲の再生を開始する。
【０１３８】
なお、各画面における試聴部の再生は、一度だけでも良いし、繰り返し再生を行っても良い。
【０１３９】
また、１行に表示する文字が、リモコン３０の表示部３２に表示可能な文字数を超える場合は、左スクロールを行いながら全ての文字を繰り返し表示する。
【０１４０】
更に、図４の設定項目選択画面に“リモコン検索”を追加して、リモコン３０で検索を行うときに、図２４の検索トップ画面を表示しての選択を行うか、アーティスト、アルバムまたはプレイリストの何れかが選択された状態から選択を開始するかを設定できるようにしても良い。図２４の検索トップ画面での選択を省くように設定すると、ユーザはリモコン３０の表示部３２を見ることなくボタン操作だけで試聴・検索・再生を行うようにすることができる。
【０１４１】
例えば、リモコン３０の検索ボタン３１Ａを長押しすると図２４の検索トップ画面で選択を行うようにして、短押しの場合は最後に図２４の検索トップ画面で選択したものを自動的に選択するようにすれば、最後に使用した検索条件と同じ条件で検索を行う場合は、ユーザはリモコン３０の表示部３２を見ることなくボタン操作だけで試聴・検索・再生を行うようにすることができる。また、別の検索条件で行いたい場合も、リモコン３０の操作だけで図２４の検索トップ画面を表示して選択を実行するようにすることができる。
【０１４２】
図２４のアーティスト、アルバム、プレイリストといった固定メニューに、例えば“アーティスト”という固定メニュー項目名やメニュー項目を説明する音声ファイルを用意して、音声ファイルの試聴部は音声ファイル全体を設定しておく。
【０１４３】
図２４でアーティストが表示された場合には、上記音声ファイルの試聴部、即ち音声ファイル全体が再生されるので、ユーザがリモコン画面を見ることなく、アーティスト、アルバム、プレイリストといった固定メニューを選択することができ、図２４から図２７の画面を見ることなく全ての選択を行うこともできる。
【０１４４】
本実施形態では、図示していないジャンル選択画面のジャンル名にも代表楽曲ファイルを設定しても良いし、上記と同様にジャンル名やジャンルを説明する音声ファイルを代表楽曲として設定できるようにしても良い。
【０１４５】
以下、上述したような本実施形態におけるリモコン操作による制御部１１の動作を、図２８に示すリモコン検索処理のフローチャートを参照して、詳細に説明する。
【０１４６】
即ち、リモコン３０の検索ボタン３１Ａが長押しされると、制御部１１は、絞り込み条件をクリアして（ステップＳ２０１）、リモコン３０の表示部３２に図２４のような検索トップ画面において“アーティスト”を表示する（ステップＳ２０２）。
【０１４７】
その後、リモコン３０の次ボタン３１Ｂが押されたか否かを確認し（ステップＳ２０３）、それが押されたならば、ステップＳ２０４からステップＳ２０８で現表示の次の選択項目を表示する。即ち、次ボタン３１Ｂが押されたとき、表示部３２の現表示が“アーティスト”であれば（ステップＳ２０４）、表示部３２に“アルバム”を表示する（ステップＳ２０５）。また、現表示が“アルバム”であれば（ステップＳ２０６）、表示部３２に“プレイリスト”を表示し（ステップＳ２０７）、そうでなければ、つまり現表示が“プレイリスト”であれば、表示部３２に“アーティスト”を表示する（ステップＳ２０８）。
【０１４８】
上記ステップＳ２０５，Ｓ２０７，Ｓ２０８の何れかの表示更新処理後、あるいは、上記ステップＳ２０３で次ボタン３１Ｂが押されていないと判断した場合には、リモコン３０の前ボタン３１Ｃが押されたか否かを確認し（ステップＳ２０９）、それが押されたならば、ステップＳ２１０からステップＳ２１４で現表示の前の選択項目を表示する。即ち、前ボタン３１Ｃが押されたとき、表示部３２の現表示が“アーティスト”であれば（ステップＳ２１０）、表示部３２に“プレイリスト”を表示する（ステップＳ２１１）。また、現表示が“アルバム”であれば（ステップＳ２１２）、表示部３２に“アーティスト”を表示し（ステップＳ２１３）、そうでなければ、つまり現表示が“プレイリスト”であれば、表示部３２に“アルバム”を表示する（ステップＳ２１４）。
【０１４９】
上記ステップＳ２１１，Ｓ２１３，Ｓ２１４の何れかの表示更新処理後、あるいは、上記ステップＳ２０９で前ボタン３１Ｃが押されていないと判断した場合には、リモコン３０の再生／停止ボタン３１Ｄが押されたか否かを確認し（ステップＳ２１５）、それが押されていないならば、上記ステップＳ２０３に戻る。
【０１５０】
これに対して、リモコン３０の再生／停止ボタン３１Ｄが押されたならば、ステップＳ２１６からステップＳ２２０で、現表示の選択項目に移動する。
【０１５１】
即ち、再生／停止ボタン３１Ｄが押されたときに、表示部３２の現表示が“アーティスト”である、つまり、ユーザが“アーティスト”を選択した場合には（ステップＳ２１６）、アーティストの選択処理を実行する（ステップＳ２１７）。
【０１５２】
このアーティストの選択処理は、図２９に示すようなものである。  
即ち、まず、リモコン３０の表示部３２の表示を図２５のアーティスト選択画面に切り替えて、アーティスト名を１つ表示する（ステップＳ２３１）。そして、その表示したアーティストの代表楽曲の試聴部を再生部１４によって再生する（ステップＳ２３２）。
【０１５３】
その後、リモコン３０の次ボタン３１Ｂが押されたか否かを確認し（ステップＳ２３３）、それが押されたならば、表示部３２に次のアーティスト名を表示して（ステップＳ２３４）、その表示したアーティストの代表楽曲の試聴部を再生部１４によって再生する（ステップＳ２３５）。また、上記ステップＳ２３３で次ボタン３１Ｂが押されていないと判別した場合には、更に、リモコン３０の前ボタン３１Ｃが押されたか否かを確認する（ステップＳ２３６）。そして、それが押されたならば、表示部３２に前のアーティスト名を表示した後（ステップＳ２３７）、上記ステップＳ２３５に進んで、その表示したアーティストの代表楽曲の試聴部を再生部１４によって再生する。
【０１５４】
上記ステップＳ２３５を実行後、あるいは、上記ステップＳ２３６で前ボタン３１Ｃが押されていないと判断した場合には、次に、リモコン３０の再生／停止ボタン３１Ｄが短押しされたか否かを確認する（ステップＳ２３８）。ここで、それが短押しされたならば、絞り込みアーティストを、現在選択したアーティストに設定して（ステップＳ２３９）、詳細は後述するようなアルバムの選択処理を行う（ステップＳ２４０）。そしてこのアルバムの選択処理が終了後、再び表示部３２の表示を図２５のアーティスト選択画面に戻して、アーティスト名を表示する（ステップＳ２４１）。
【０１５５】
その後、あるいは、上記ステップＳ２３８で再生／停止ボタン３１Ｄが短押しされていないと判断した場合には、更に、その再生／停止ボタン３１Ｄが長押しされたか否かを確認する（ステップＳ２４２）。ここで、それが長押しされたならば、絞り込みアーティストを現在選択したアーティストに、また、再生する曲を当該アーティストの先頭曲に設定して（ステップＳ２４３）、曲の再生を開始する（ステップＳ２４４）。この曲の再生処理の詳細については、後述する。
【０１５６】
その後、あるいは、上記ステップＳ２４２で再生／停止ボタン３１Ｄが長押しされていないと判断した場合には、リモコン３０の検索ボタン３１Ａが長押しされたか否かを確認する（ステップＳ２４５）。そしてここで、それが長押しされたならば、上記リモコン検索処理のステップＳ２０１から、上記動作を再び行う。
【０１５７】
また、上記検索ボタン３１Ａが長押しされていないと判別した場合には、更に、その検索ボタン３１Ａが短押しされたか否かを確認する（ステップＳ２４６）。ここで、それが短押しされていない場合には、上記ステップＳ２３３に戻る。これに対して、それが短押しされたならば、絞り込みアーティスト名をクリアして（ステップＳ２４７）、上位のルーチンつまり上記リモコン検索処理のステップＳ２０３に戻る。
【０１５８】
一方、上記リモコン検索処理のステップＳ２１６において、再生／停止ボタン３１Ｄが押されたときの表示部３２の現表示が“アーティスト”ではないと判別された場合には、更に、表示部３２の現表示が“アルバム”であるか否かを確認する（ステップＳ２１８）。ここで、表示部３２の現表示が“アルバム”である、つまり、ユーザが“アルバム”を選択した場合には、アルバムの選択処理を実行する（ステップＳ２１９）。
【０１５９】
このリモコン処理のステップＳ２１９あるいは上記アーティストの選択処理のステップＳ２４０として実行されるアルバムの選択処理は、図３０に示すようなものである。
【０１６０】
即ち、まず、リモコン３０の表示部３２の表示を図２６のアルバム選択画面に切り替えて、選択したアーティスト（アーティストが未選択ならば全てのアルバムが対象）のアルバム名を１つ表示する（ステップＳ２５１）。そして、その表示したアルバムの代表楽曲の試聴部を再生部１４によって再生する（ステップＳ２５２）。
【０１６１】
その後、リモコン３０の次ボタン３１Ｂが押されたか否かを確認し（ステップＳ２５３）、それが押されたならば、表示部３２に次のアルバム名を表示して（ステップＳ２５４）、その表示したアルバムの代表楽曲の試聴部を再生部１４によって再生する（ステップＳ２５５）。また、上記ステップＳ２５３で次ボタン３１Ｂが押されていないと判別した場合には、更に、リモコン３０の前ボタン３１Ｃが押されたか否かを確認する（ステップＳ２５６）。そして、それが押されたならば、表示部３２に前のアルバム名を表示した後（ステップＳ２５７）、上記ステップＳ２５５に進んで、その表示したアルバムの代表楽曲の試聴部を再生部１４によって再生する。
【０１６２】
上記ステップＳ２５５を実行後、あるいは、上記ステップＳ２５６で前ボタン３１Ｃが押されていないと判断した場合には、次に、リモコン３０の再生／停止ボタン３１Ｄが短押しされたか否かを確認する（ステップＳ２５８）。ここで、それが短押しされたならば、絞り込みアルバムを、現在選択したアルバムに設定して（ステップＳ２５９）、詳細は後述するような曲の選択処理を行う（ステップＳ２６０）。そしてこの曲の選択処理が終了後、再び表示部３２の表示を図２６のアルバム選択画面に戻して、アルバム名を表示する（ステップＳ２６１）。
【０１６３】
その後、あるいは、上記ステップＳ２５８で再生／停止ボタン３１Ｄが短押しされていないと判断した場合には、更に、その再生／停止ボタン３１Ｄが長押しされたか否かを確認する（ステップＳ２６２）。ここで、それが長押しされたならば、絞り込みアルバムを現在選択したアルバムに、また、再生する曲を当該アルバムの先頭曲に設定して（ステップＳ２６３）、曲の再生を開始する（ステップＳ２６４）。この曲の再生処理の詳細については、後述する。
【０１６４】
その後、あるいは、上記ステップＳ２６２で再生／停止ボタン３１Ｄが長押しされていないと判断した場合には、リモコン３０の検索ボタン３１Ａが長押しされたか否かを確認する（ステップＳ２６５）。そしてここで、それが長押しされたならば、上記リモコン検索処理のステップＳ２０１から、上記動作を再び行う。
【０１６５】
また、上記検索ボタン３１Ａが長押しされていないと判別した場合には、更に、その検索ボタン３１Ａが短押しされたか否かを確認する（ステップＳ２６６）。ここで、それが短押しされていない場合には、上記ステップＳ２５３に戻る。これに対して、それが短押しされたならば、絞り込みアルバム名をクリアして（ステップＳ２６７）、上位のルーチンつまり上記リモコン検索処理のステップＳ２０３または上記アーティストの選択処理のステップＳ２４１に戻る。
【０１６６】
なお、上記アルバムの選択処理のステップＳ２６０として実行される曲の選択処理は、図３１に示すようなものである。
【０１６７】
即ち、まず、リモコン３０の表示部３２の表示を図２７の曲選択画面に切り替えて、選択したアーティスト、アルバム、またはプレイリストの曲名を１つ表示する（ステップＳ２７１）そして、その表示したアルバムの代表楽曲の試聴部を再生部１４によって再生する（ステップＳ２７２）。
【０１６８】
その後、リモコン３０の次ボタン３１Ｂが押されたか否かを確認し（ステップＳ２７３）、それが押されたならば、表示部３２に次の曲名を表示して（ステップＳ２７４）、その表示した曲の試聴部を再生部１４によって再生する（ステップＳ２７５）。また、上記ステップＳ２７３で次ボタン３１Ｂが押されていないと判別した場合には、更に、リモコン３０の前ボタン３１Ｃが押されたか否かを確認する（ステップＳ２７６）そして、それが押されたならば、表示部３２に前の曲名を表示した後（ステップＳ２７７）、上記ステップＳ２７５に進んで、その表示した曲の試聴部を再生部１４によって再生する。
【０１６９】
上記ステップＳ２７５を実行後、あるいは、上記ステップＳ２７６で前ボタン３１Ｃが押されていないと判断した場合には、次に、リモコン３０の再生／停止ボタン３１Ｄが押されたか否かを確認する（ステップＳ２７８）。ここで、それが押されたならば、再生する楽曲を、現在選択した曲に設定して（ステップＳ２７９）、再生を開始する（ステップＳ２８０）。この曲の再生処理の詳細については、後述する。
【０１７０】
その後、あるいは、上記ステップＳ２７８で再生／停止ボタン３１Ｄが押されていないと判断した場合には、リモコン３０の検索ボタン３１Ａが長押しされたかを否か確認する（ステップＳ２８１）。そしてここで、それが長押しされたならば、上記リモコン検索処理のステップＳ２０１から、上記動作を再び行う。
【０１７１】
また、上記検索ボタン３１Ａが長押しされていないと判別した場合には、更に、その検索ボタン３１Ａが短押しされたか否かを確認する（ステップＳ２８２）。ここで、それが短押しされていない場合には、上記ステップＳ２７３に戻る。これに対して、それが短押しされたならば、上位のルーチンつまり上記アルバムの選択処理のステップＳ２６１に戻る。
【０１７２】
また、上記リモコン検索処理のステップＳ２１８において、再生／停止ボタン３１Ｄが押されたときの表示部３２の現表示が“アルバム”ではないと判別された場合、即ち、表示部３２の現表示が“プレイリスト”である、つまり、ユーザが“プレイリスト”を選択した場合には、プレイリストの選択処理を実行する（ステップＳ２２０）。このプレイリストの選択処理は、プレイリストの表示と選択→曲の表示と選択を同様に行って再生を行う。そして、このプレイリストの選択処理の終了後、上記ステップＳ２０３に戻る。
【０１７３】
この様に、各選択画面において、検索ボタン３１Ａの短押しに応じて前の画面に戻るようにすることで、同一アーティスト、アルバムやプレイリスト内での楽曲変更が容易になる。
【０１７４】
なお、本実施形態では、リモコン３０の検索ボタン３１Ａの長押しに応じて図２４の検索トップ画面に戻るものとしたが、長押し操作ではなくてダブルクリック操作であっても良い。各選択画面で所定時間操作が行われない場合は、曲の再生処理に戻るようにしても良い。
【０１７５】
また、上記アーティストの選択処理におけるステップＳ２４４、上記アルバムの選択処理におけるステップＳ２６４、及び上記曲の選択処理におけるステップＳ２８０として実行される曲の再生処理は、図３２及び図３３の一連のフローチャートに示すようなものである。
【０１７６】
即ち、まず、現在曲の再生中か否かを確認し（ステップＳ２９１）、再生していなければ、曲の再生を開始する（ステップＳ２９２）。
【０１７７】
その後、あるいは上記ステップＳ２９１で曲の再生中であると判別された場合には、リモコン３０の表示部３２の表示を更新する（ステップＳ２９３）。即ち、表示部３２に、再生中の曲のタイトル、アルバム名、及びアーティスト名を表示する。この場合、前述したように、それらの表示の文字数が、表示部３２に表示可能な文字数を超える場合は、左スクロールを行いながら全ての文字を繰り返し表示する。
【０１７８】
次に、リモコン３０の試聴登録ボタン３１Ｅが押されたか否かを確認する（ステップＳ２９４）。そして、それが押されたならば、現在再生中の楽曲について試聴登録を行う（ステップＳ２９５）。
【０１７９】
その後、あるいは上記ステップＳ２９４で試聴登録を行わないと判別された場合には、リモコン３０の前ボタン３１Ｃが押されたか否かを確認し（ステップＳ２９６）、それが押されたならば、曲を前曲に変更して（ステップＳ２９７）、再生を停止する（ステップＳ２９８）。また、前ボタン３１Ｃが押されていない場合には、リモコン３０の次ボタン３１Ｂが押されたか否かを確認し（ステップＳ２９９）、それが押されたならば、曲を次曲に変更して（ステップＳ３００）、再生を停止する（ステップＳ２９８）。こうして曲の変更後に再生を停止したならば、次に、試聴モードがオンか否かを確認する（ステップＳ３０１）。そして、試聴モードがオフならば上記ステップＳ２９１に戻って直ちにその更新された曲の再生を開始し、また、試聴モードがオンならば試聴再生を行ってから（ステップＳ３０２）、上記ステップＳ２９１に戻ってその更新された曲の再生を開始する。
【０１８０】
一方、上記ステップ２９９において次ボタン３１Ｂが押されていないと判別した場合、つまり、前ボタン３１Ｃも次ボタン３１Ｂも押されていない場合には、再生が終了したか否かを確認する（ステップＳ３０３）。ここで、再生がまだ終了していなければ、リモコン３０の再生／停止ボタン３１Ｄの操作による再生の停止が指示されたか否かを確認する（ステップＳ３０４）。そして、停止が指示された場合には、再生部１４による再生を停止する（ステップＳ３０５）。
【０１８１】
その後、あるいは上記ステップＳ３０４で停止の指示が行われなかったならば、リモコン３０の再生／停止ボタン３１Ｄの操作による再生の指示がなされたか否かを確認する（ステップＳ３０６）。そして、再生が指示されなかった場合には、上記ステップＳ２９３に戻る。
【０１８２】
また、上記ステップＳ３０３において、再生が終了したと判別したならば、全ての曲を再生して且つリピートの設定がオフか否かを確認する（ステップＳ３０７）。そして、全ての曲を再生してリピート設定がオフならば、上記ステップＳ２９３に戻り、そうでなければ、曲を次の曲に設定する（ステップＳ３０８）。
【０１８３】
上記ステップＳ３０６で再生／停止ボタン３１Ｄの操作による再生の指示がなされたならば、あるいは、上記ステップＳ３０８で曲の設定が行われた後、リモコン３０の検索ボタン３１Ａが長押しされたか否かを確認する（ステップＳ３０９）。そしてここで、それが長押しされたならば、上記リモコン検索処理のステップＳ２０１から、上記動作を再び行う。
【０１８４】
また、上記検索ボタン３１Ａが長押しされていないと判別した場合には、更に、その検索ボタン３１Ａが短押しされたか否かを確認する（ステップＳ３１０）。ここでし、それが短押しされていない場合には、上記ステップＳ２９１に戻る。これにより、上記ステップＳ２９１で再生中でないと判別されるので、上記ステップＳ２９２で曲の再生が開始されることになる。このとき、上記ステップＳ３０６で再生／停止ボタン３１Ｄの操作による再生の指示がなされたことに応じて再生が開始された場合には、先に停止した現在の曲が再生され、上記ステップＳ３０８で曲の設定が行われた後に再生が開始された場合には、その設定された曲である次曲が再生されることになる。
【０１８５】
而して、上記ステップＳ３１０において、検索ボタン３１Ａが短押しされたと判別された場合には、表示部３２に元の画面を表示してから（ステップＳ３１１）、上記アーティストの選択処理におけるステップＳ２４５、上記アルバムの選択処理におけるステップＳ２６５、または上記曲の選択処理におけるステップＳ２８１に戻る。
【０１８６】
以上実施形態に基づいて本発明を説明したが、本発明は上述した実施形態に限定されるものではなく、本発明の要旨の範囲内で種々の変形や応用が可能なことは勿論である。
【０１８７】
例えば、図７のアーティスト選択画面や図９のアルバム選択画面で、一度タッチするとアーティストやアルバムの選択表示を変更して、その選択表示中のアーティストやアルバムを再度タッチ選択した時に、図８の選択画面や図１０の楽曲選択画面に移動するようにしても良い。この場合、図７のアーティスト選択画面や図９のアルバム選択画面にも図１０の楽曲選択画面のような“再生”や“試聴”のボタンを表示し、アーティストやアルバムの選択表示状態で“試聴”をタッチすると、その選択表示中のアーティストやアルバムの代表楽曲の試聴部を再生部１４によって再生するというようにしても良い。
【０１８８】
また、試聴部の長さが、図５の試聴設定画面で設定した試聴時間よりも長い場合は、試聴部開始位置から図５で設定した試聴時間だけ再生するようにしても良い。
【０１８９】
なお、楽曲再生装置１０で追加した試聴部情報は、ＰＣ側にある楽曲再生装置（ポータブル音楽プレイヤ）管理アプリケーションでも追加され、そのアプリケーションでは試聴部の追加・削除・編集ができる。
【０１９０】
また、上記実施形態は、楽曲再生装置１０をポータブル音楽プレイヤとして説明を行ったが、ＰＣや設置型のステレオ装置でも構わない。
【０１９１】
更に、イヤフォン２０やリモコン３０は、ワイヤレスタイプのものでも構わない。
【０１９２】
また、動的コンテンツは、音楽に限定されるものではない。本試聴機能は、静止画や動画プレイヤのプレビュー機能にも同様に応用することができる。その場合は“試聴部”ではなく“プレビュー部”としてプレビューしたい部位を登録しておけば、特徴的またはお気に入りの画面を見ながら、見たい静止画アルバムや動画を選択することができる。
【０１９３】
インターネットで楽曲・動画の購入ができるようになっているが、楽曲ファイルや動画ファイルのヘッダ部分に、販売者が試聴・プレビュー部位を登録しておけば、購入サイトでも購入後のユーザでも同様に試聴・プレビュー機能を使用することができる。また、試聴・プレビュー部位の登録を、ヘッダ部分ではなく、楽曲ファイルとは別の楽曲情報ファイル（例えばＸＭＬファイル）で提供しても良い。ＰＣのプレイヤソフトやプレイヤ機器は、ヘッダ部分や楽曲情報ファイルから試聴・プレビュー部位を検出することで、楽曲の販売者が提供する試聴機能を簡単に使用することができるようになる。
【図面の簡単な説明】
【０１９４】
【図１】図１は、本発明の動的コンテンツ再生装置の第１実施形態としての楽曲再生装置の構成を示す図である。
【図２】図２は、管理部に保存される楽曲情報の例を示す図である。
【図３】図３は、表示部兼入力部に表示されるＨＯＭＥ画面を示す図である。
【図４】図４は、表示部兼入力部に表示される設定項目選択画面を示す図である。
【図５】図５は、表示部兼入力部に表示される試聴設定画面を示す図である。
【図６】図６は、表示部兼入力部に表示される楽曲選択メイン画面を示す図である。
【図７】図７は、表示部兼入力部に表示されるアーティスト選択画面を示す図である。
【図８】図８は、表示部兼入力部に表示される選択画面を示す図である。
【図９】図９は、表示部兼入力部に表示されるアルバム選択画面を示す図である。
【図１０】図１０は、表示部兼入力部に表示される楽曲選択画面を示す図である。
【図１１】図１１は、表示部兼入力部に表示される再生画面を示す図である。
【図１２】図１２（Ａ）は、動的コンテンツ再生プログラムのフローチャートを示す図であり、図１２（Ｂ）は、設定処理のフローチャートを示す図である。
【図１３】図１３は、試聴設定処理のフローチャートを示す図である。
【図１４】図１４は、曲選択処理のフローチャートを示す図である。
【図１５】図１５は、プレイリストの一例を示す図である。
【図１６】図１６（Ａ）は、アーティスト処理のフローチャートを示す図であり、図１６（Ｂ）は、アルバム処理のフローチャートを示す図である。
【図１７】図１７（Ａ）は、曲処理のフローチャートを示す図であり、図１７（Ｂ）は、再生処理の一連のフローチャートの前半部分を示す図である。
【図１８】図１８は、再生処理の一連のフローチャートの後半部分を示す図である。
【図１９】図１９は、試聴登録処理のフローチャートを示す図である。
【図２０】図２０は、試聴再生処理のフローチャートを示す図である。
【図２１】図２１は、本発明の動的コンテンツ再生装置の第２実施形態としての楽曲再生装置における管理部に保存されるアーティスト情報の例を示す図である。
【図２２】図２２は、アルバム情報の例を示す図である。
【図２３】図２３は、プレイリスト情報の例を示す図である。
【図２４】図２４は、リモコンの表示部に表示される検索トップ画面を示す図である。
【図２５】図２５は、リモコンの表示部に表示されるアーティスト選択画面を示す図である。
【図２６】図２６は、リモコンの表示部に表示されるアルバム選択画面を示す図である。
【図２７】図２７は、リモコンの表示部に表示される曲選択画面を示す図である。
【図２８】図２８は、リモコン検索処理のフローチャートを示す図である。
【図２９】図２９は、アーティストの選択処理のフローチャートを示す図である。
【図３０】図３０は、アルバムの選択処理のフローチャートを示す図である。
【図３１】図３１は、曲の選択処理のフローチャートを示す図である。
【図３２】図３２は、曲の再生処理の一連のフローチャートの前半部分を示す図である。
【図３３】図３３は、曲の再生処理の一連のフローチャートの後半部分を示す図である。
【符号の説明】
【０１９５】
１０…楽曲再生装置、  １１…制御部、  １２…管理部、  １３…表示部兼入力部、  １４…再生部、  １４Ａ…デコーダ、  １４Ｂ…スピーカ、  １４Ｃ…イヤフォン接続端子、  １５…ＰＣ接続端子、  １６…リモコン接続端子、  ２０…イヤフォン、  ３０…リモートコントローラ（リモコン）、  ３１…操作ボタン、  ３１Ａ…検索ボタン、  ３１Ｂ…次ボタン、  ３１Ｃ…前ボタン、  ３１Ｄ…再生／停止ボタン、  ３１Ｅ…試聴登録ボタン、  ３２…表示部。
【図１】
2006323920.tif 000003
【図２】
2006323920.tif 000004
【図３】
2006323920.tif 000005
【図４】
2006323920.tif 000006
【図５】
2006323920.tif 000007
【図６】
2006323920.tif 000008
【図７】
2006323920.tif 000009
【図８】
2006323920.tif 000010
【図９】
2006323920.tif 000011
【図１０】
2006323920.tif 000012
【図１１】
2006323920.tif 000013
【図１２】
2006323920.tif 000014
【図１３】
2006323920.tif 000015
【図１４】
2006323920.tif 000016
【図１５】
2006323920.tif 000017
【図１６】
2006323920.tif 000018
【図１７】
2006323920.tif 000019
【図１８】
2006323920.tif 000020
【図１９】
2006323920.tif 000021
【図２０】
2006323920.tif 000022
【図２１】
2006323920.tif 000023
【図２２】
2006323920.tif 000024
【図２３】
2006323920.tif 000025
【図２４】
2006323920.tif 000026
【図２５】
2006323920.tif 000027
【図２６】
2006323920.tif 000028
【図２７】
2006323920.tif 000029
【図２８】
2006323920.tif 000030
【図２９】
2006323920.tif 000031
【図３０】
2006323920.tif 000032
【図３１】
2006323920.tif 000033
【図３２】
2006323920.tif 000034
【図３３】
2006323920.tif 000035